(57)【要約】    【課題】  全体の曲がりとして連続的なきれいな弧を描き得るような釣竿を提供する。    【解決手段】  この釣竿では、穂先竿４が穂持ち竿３の穂先側に連結されている。穂先竿４には釣糸ガイド１０ｃが装着される。この釣糸ガイド１０ｃは嵌合雄部４ａの穂先側端縁（肩部分）から一定の距離を隔てて穂先竿４の周面に固定されている（ΔＸ参照）。この距離は、嵌合雄部４ａの軸方向長さと同じく25〜35mm程度に設定されている。他方、穂持ち竿３の穂先側端部の周面には釣糸ガイド１０ａが装着されており、さらに別の釣糸ガイド１０ｂが装着されている。この釣糸ガイド１０ｂの装着位置は、穂先竿４を穂持ち竿３の穂先側に引き出して連結した際に、嵌合雄部４ａの竿元側端部に相当する位置である。即ち、嵌合雄部４ａの穂先側端部から25〜35mm程度（ΔＸ参照）の位置に釣糸ガイド１０ｂの固定部１１の穂先側端部が位置するようになっている。【選択図】      図２
2005021133.tif 000002
【特許請求の範囲】
【請求項１】
複数の竿体を連結してなる釣竿であって、
先細りの筒状体であり、穂先側端部内周面に嵌合雌部を有する第１竿体と、
前記第１竿体の穂先側に連結された先細りの筒状体であり、竿元側端部外周面に前記嵌合雌部に嵌着する嵌合雄部を有する第２竿体とを備え、
前記第１竿体の嵌合雌部に前記第２竿体の嵌合雄部を嵌着した際において、前記嵌合雄部の竿元側端部に相当する前記第１竿体の軸方向位置の近傍の外周面に装着された第１釣糸ガイドと、
前記嵌合雄部の軸方向長さ程度に前記嵌合雄部の穂先側端部から穂先側に離れた前記第２竿体の外周面に装着された第２釣糸ガイドと、
を有している、釣竿。
【請求項２】
前記第１竿体の穂先側端部の外周面に装着された第３釣糸ガイドをさらに備える、請求項１に記載の釣竿。
【請求項３】
前記第２竿体は最も穂先側に位置する穂先竿であり、前記第１竿体は前記穂先竿の竿元側に位置する穂持ち竿であり、
前記第１ガイドは前記穂持ち竿の穂先側端部から25〜35mm離れて前記穂持ち竿の周面に装着されており、
前記第２ガイドは前記穂先竿の嵌合雄部の穂先側端部から穂先側に25〜35mm離れて前記穂先竿の周面に装着されている、請求項１又は２に記載の釣竿。
【請求項４】
前記第２竿体は穂持ち竿であり、前記第１竿体は穂持ち竿の竿元側に位置する中間竿体であり、
前記第１ガイドは前記中間竿体の穂先側端部から35〜45mm離れて前記中間竿体の周面に装着されており、
前記第２ガイドは前記穂持ち竿の嵌合雄部の穂先側端部から穂先側に35〜45mm離れて前記穂持ち竿の周面に装着されている、請求項１又は２に記載の釣竿。
【発明の詳細な説明】
【技術分野】
【０００１】
本発明は、複数の竿体を連結して一本の釣竿となっている釣竿に関する。特に、竿体の周面に軸方向に間隔を隔てて複数の釣糸ガイドが装着されているタイプの釣竿に関するものである。
【背景技術】
【０００２】
近時の多くの釣竿は、複数の竿体を連結して一本の長い釣竿となっている。
【０００３】
各竿体の連結手法には様々な方式があるが、例えば、並継形式と呼ばれる連結手法を採用した釣竿は、穂先側端部内周を嵌合雌部とする大径竿体と、竿元側端部外周を嵌合雄部として大径竿体の穂先側に連結される小径竿体とを有している。この並継形式の釣竿では、大径竿体の穂先側の嵌合雌部に小径竿体の嵌合雄部を穂先側から挿入して、両者を嵌着させている。
【０００４】
また、振出形式と呼ばれる連結手法もある。この手法では、大径竿体内に小径竿体が穂先側に向かって出し入れ自在になっている。連結時には、小径竿体を大径竿体の穂先側に振りだし、小径竿体の嵌合雄部を大径竿体の嵌合雌部に嵌着させる。
【０００５】
このように様々な手法をもって複数の竿体が連結されて一本の釣竿が構成されているが、複数の竿体を連結する釣竿において生じる問題に、釣竿の曲がりが連続的なものになりにくいということがある。
【０００６】
即ち、複数の竿体を連結して一本の釣竿とする場合、竿体同士の連結部分では２つの竿体が重なり合うことになる。そして、竿体が２重に重なる部分は他の部分に比較して曲がり難くなる。釣竿は、仕掛けに魚が係った際に、手元側の竿体から穂先側の竿体まで連続的にきれいな弧を描くように曲がるのが好ましいものとされ、魚を釣り上げる際の操作性も良好であるとされる。
【０００７】
従って、竿体同士の連結部分での曲がりを良好にして、釣竿全体として連続的にきれいな弧を描けるように様々な工夫が提案されてきた。例えば、竿体同士を連結する連結部分の素材の弾性を調整し、若しくは、連結部分を構成する繊維強化樹脂素材の繊維の配向方向を調整する等の工夫が提案されてきた（特許文献１など参照）。
【特許文献１】特開２０００−２３６７８２号公報
【発明の開示】
【発明が解決しようとする課題】
【０００８】
このように、竿体の素材の特性などに関して様々な工夫が提案されてきた。しかし、必ずしも釣人の要請に十分に応じ得るだけの釣竿は未だ提供されておらず、さらなる改良が求められている。
【０００９】
特に、仕掛けに魚が係った際、竿体の周面に複数の釣糸ガイドを装着するタイプの釣竿（外通し竿）では、仕掛けから釣糸にかかった力を釣糸ガイドが竿体に伝達し、竿体が湾曲する。つまり、釣糸ガイドが装着されているポイント毎に竿体が釣糸からの力を受けることになる。このため、竿体内に釣糸が挿通しており軸方向において連続的に釣糸からの力を竿体が受けることができる中通し竿に比較して、外通し竿は釣竿の連続的なきれいな曲がりを演出し難い。
【００１０】
本発明の課題は、複数の竿体を連結してなる釣竿において、全体の曲がりとして連続的なきれいな弧を描き得るような釣竿を提供することにある。
【課題を解決するための手段】
【００１１】
本発明に係る釣竿は、複数の竿体を連結してなる釣竿であって、先細りの筒状体であり、穂先側端部内周面に嵌合雌部を有する第１竿体と、第１竿体の穂先側に連結された先細りの筒状体であり、竿元側端部外周面に前記嵌合雌部に嵌着する嵌合雄部を有する第２竿体とを備えている。そして、第１竿体の嵌合雌部に第２竿体の嵌合雄部を嵌着した際において、嵌合雄部の竿元側端部に相当する第１竿体の軸方向位置の近傍の外周面に装着された第１釣糸ガイドと、嵌合雄部の軸方向長さ程度に嵌合雄部の穂先側端部から穂先側に離れた第２竿体の外周面に装着された第２釣糸ガイドとを有している。
【００１２】
ここで、「嵌合雄部の軸方向長さ」とは、第１竿体の穂先側内周面の嵌合雌部に嵌着可能なように、例えば他の部分に比較して大径化されているような、第２竿体の竿元側端部の外周面の一定の領域の軸方向長さをいう。
【００１３】
また、「嵌合雄部の竿元側端部に相当する第１竿体の軸方向位置の近傍」とは、第１竿体の嵌合雌部に嵌着された第２竿体の嵌合雄部の竿元側端部（即ち、第２竿体の竿元側端部）が第１竿体内において占める軸方向位置の近傍である。当該軸方向位置に第１釣糸ガイドの穂先側端縁が一致し、少なくとも軸方向に数mm程度変位する領域内に上記第１釣糸ガイドの穂先側端縁が存在することをいう。
【００１４】
さらに、「嵌合雄部の軸方向長さ程度に嵌合雄部の穂先側端部から穂先側に離れた」とは、嵌合雄部の穂先側端縁の軸方向位置と第２釣糸ガイドの竿元側端縁との距離が、好ましくは上記嵌合雄部の軸方向長さに一致することを意味する。少なくとも、軸方向に数mm程度変位する領域内に上記第２釣糸ガイドの竿元側端縁が存在することを含む。
【００１５】
この釣竿では、第１竿体と第２竿体とを連結した際において、第１竿体の嵌合雌部と第２竿体の嵌合雄部とが重なりあう領域の前後に第１釣糸ガイドと第２釣糸ガイドとが近接して配置されている。第１釣糸ガイド及び第２釣糸ガイドがそれぞれ第１竿体と第２竿体とに釣糸からの力を伝達する。第１竿体と第２竿体とは嵌合雄部と嵌合雌部との付近で集中的に力の伝達を受け、嵌合雄部と嵌合雌部との重なり合い部分においても、釣糸からの力に応じて十分に湾曲することになる。
【００１６】
さらに、第１竿体の穂先側端部の外周面に装着された第３釣糸ガイドを装着してもよい。第１竿体の穂先側端部の第３釣糸ガイドも、嵌合雄部と嵌合雌部との重なり合い部分に釣糸からの力を伝達し、釣糸からの力に応じて十分に当該部分を湾曲させる。
【００１７】
例えば、第２竿体は最も穂先側に位置する穂先竿であり、第１竿体は穂先竿の竿元側に位置する穂持ち竿である。この場合、第１ガイドは穂持ち竿の穂先側端部から25〜35mm離れて前記穂持ち竿の周面に装着される。また、第２ガイドは穂先竿の嵌合雄部の穂先側端部から穂先側に25〜35mm離れて穂先竿の周面に装着される。
【００１８】
第２竿体は穂持ち竿であり、第１竿体は穂持ち竿の竿元側に位置する中間竿体であってもよい。この場合、第１ガイドは中間竿体の穂先側端部から35〜45mm離れて前記中間竿体の周面に装着されており、第２ガイドは穂持ち竿の嵌合雄部の穂先側端部から穂先側に35〜45mm離れて前記穂持ち竿の周面に装着されている。
【発明の効果】
【００１９】
本発明によれば、複数の竿体を連結してなる釣竿において、全体の曲がりとして連続的なきれいな弧を描き得るような。
【発明を実施するための最良の形態】
【００２０】
［第１実施形態］
本発明の第１実施形態につき、図面を参照しつつ説明する。
【００２１】
（釣竿の概要）
この釣竿は、図１に示すように、元竿１と、元竿１の穂先側に順次連結される、元上竿２，穂持ち竿３，穂先竿４とを有している。これら各竿体は、それぞれ炭素繊維やガラス繊維などの強化繊維にエポキシ樹脂などの合成樹脂を含浸させたプリプレグ素材からなる先細り筒状部材である。後に詳しく説明するように、これらの各竿体はいわゆる振出形式で連結されており、穂先側に位置する竿体は順次竿元側に位置する竿体内部に収納可能である。
【００２２】
元竿１は、全体として竿元側ほど大径化するようなテーパが施された筒状体である。竿元側周面にリールを脱着自在に装着可能なリールシート５を有し、竿元側端部には尻栓６が脱着自在に装着されている。元竿１の穂先側端部には釣糸ガイド１０が装着されている。この元竿１の釣糸ガイド１０は当該位置に接着剤等で固定されている固定ガイドである。
【００２３】
元上竿２〜穂先竿４も先細りテーパが施された筒状体である。これらの各竿体の周面には、軸方向に間隔を隔てて複数の釣糸ガイド１０が装着されている。後に詳しく説明するように、特に、元上竿２及び穂持ち竿３の連結部分と穂持ち竿３及び穂先竿４の連結部分とにおいては、釣糸ガイド１０が比較的近い軸方向の間隔で配置されている。一般に、釣糸ガイド１０の軸方向の間隔は穂先側に至るほど短く設定されるが、特に、本発明の釣竿においては、これらの竿体の連結部分付近においても短い軸方向間隔でお釣糸ガイド１０が装着されている。
【００２４】
元上竿２〜穂先竿４の周面に装着されている釣糸ガイド１０は、各竿体において最も穂先側に位置する釣糸ガイド１０が当該位置に接着剤等で固定されている固定ガイドである。他方、その余の釣糸ガイド１０は軸方向にスライド移動自在なスライドガイドである。特に、穂先竿４の最も穂先側に位置する固定ガイドはトップガイド７と呼ばれる。
【００２５】
このスライドガイドとは、竿体のテーパを利用して所定の軸方向位置において固定可能な釣糸ガイドである。即ち、スライドガイドの竿体周面のパイプ状の固定部の内径と、竿体の所定の軸方向位置における外径とをあわせて調整してあり、所定の軸方向位置において当該パイプ状の固定部が竿体の周面に嵌着する。パイプ状の固定部と竿体の外径との関係からスライドガイドは所定の位置から穂先側に向かってスライド移動させることができる。
【００２６】
これらの各竿体においては、竿元側に位置する竿体の穂先側端部内周面が嵌合雌部となっており、穂先側に位置する竿体の竿元側端部外周面が嵌合雄部となっている。穂先側に位置する竿体を竿元側に位置する竿体の穂先側に引き出せば、これらの嵌合雄部と嵌合雌部とが嵌着する仕組みになっている。詳細は、以下の説明により明らかになる。
【００２７】
（穂先竿４と穂持ち竿３とについて）
続いて、各竿体同士の連結部分について、穂先竿４と穂持ち竿３とを例に、図２に示して詳しく説明する。
【００２８】
穂先竿４は、その竿元側端部から軸方向に一定の範囲において、その外周面が嵌合雄部４ａとなっている。例えば、図２に示すように、嵌合雄部４ａは他の部分に比較して一段大径化させておく。このような嵌合雄部４ａは補助用の繊維強化樹脂等を巻回して形成される。嵌合雄部４ａの軸方向長さは穂先竿４の大きさによっても左右されるが、30〜40mm程度である。
【００２９】
この穂先竿４の竿元側の嵌合雄部４ａの穂先側の周面には釣糸ガイド１０ｃが装着されている。この釣糸ガイド１０ｃは釣糸ガイド１０の中でもスライドガイドである。
【００３０】
一般的に、釣糸ガイド１０は、穂先竿４などの竿体が挿通した状態で竿体の外周面に当接しているパイプ状の固定部１１と、固定部１１から起立するフレーム１２と、フレーム１２にはめ込まれたガイドリング１３とからなる。固定部１１とフレーム１２とは、金属若しくは硬質合成樹脂等から一体的に形成してもよい。固定部１１は、この釣糸ガイド１０ｃのようにスライドガイドの場合には、固定部１１が穂先竿４の周面に接着固定されておらず、穂先竿４の外径と固定部１１との内径の関係から所定の位置に嵌着固定している。フレーム１２には竿体の軸方向に貫通する貫通孔が形成されており、この貫通孔にガイドリング１３が装着されている。ガイドリング１３はセラミックスなどの硬質素材からなるリングである。釣糸がこのガイドリング１３を挿通する。
【００３１】
この釣糸ガイド１０ｃは嵌合雄部４ａの穂先側端縁（肩部分）から一定の距離を隔てて穂先竿４の周面に固定されている（ΔＸ参照）。この距離は、嵌合雄部４ａの軸方向長さと同じく25〜35mm程度に設定されている。
【００３２】
他方、穂持ち竿３は、その穂先側端部の軸方向の一定の範囲において、その内周面が嵌合雌部３ａとなっている。例えば、嵌合雌部３ａは、他の部分に比較して一段小径化させてもよいし、若しくは、テーパ傾斜を他の部分に比較して急に設定して穂先側ほど小径化させてもよい。この嵌合雌部３ａに上述の嵌合雄部４ａが嵌着することになる。
【００３３】
この穂持ち竿３の穂先側端部の周面には釣糸ガイド１０ａが装着されている。上述のようにこの釣糸ガイド１０aは固定ガイドである。従って、釣糸ガイド１０ａの固定部１１は、穂持ち竿３の周面に接着剤等によって接着固定されている。この穂持ち竿３の穂先側端部の周面に装着されている釣糸ガイド１０ａは、固定部１１の穂先側端縁が穂持ち竿３の穂先側端縁に合致するように固定されている。
【００３４】
穂持ち竿３の周面には、さらに、別の釣糸ガイド１０ｂが装着されている。この釣糸ガイド１０ｂはスライドガイドである。即ち、固定部１１が穂持ち竿３の周面に接着固定されておらず、穂持ち竿３の外径と固定部１１との内径の関係から所定の位置に嵌着固定している。この別の釣糸ガイド１０ｂの装着位置は、図２に示すように、穂先竿４を穂持ち竿３の穂先側に引き出して連結した際に、嵌合雄部４ａの竿元側端部に相当する位置である。即ち、嵌合雄部４ａの穂先側端部から25〜35mm程度（ΔＸ参照）の位置に釣糸ガイド１０ｂの固定部１１の穂先側端部が位置するようになっている。
【００３５】
もっとも、これらの位置関係は厳密にΔＸに合致する必要はなく、多少の軸方向へのズレは可能である。また、図１に示すように、穂先竿４と穂持ち竿３とには、その他の釣糸ガイド１０もその周面に装着されている。
【００３６】
ここでは、穂先竿４と穂持ち竿３とに関して説明しているが、穂持ち竿３と元上竿２とにおいても、同様の位置関係で釣糸ガイド１０が装着されている（図１参照）。穂持ち竿３と元上竿２とにおいては、例えば、ΔＸは35〜45mm程度となる。
【００３７】
このように構成されている釣竿では、穂先竿４と穂持ち竿３とにおいて、穂先竿４の嵌合雄部４ａと穂持ち竿３の嵌合雌部３ａとが重なりあう領域の前後に、それぞれ釣糸ガイド１０ｃ，１０ｂとが近接して配置されている。また、穂持ち竿３の穂先側端部にも釣糸ガイド１０ａが装着されている。これらの釣糸ガイド１０ａ〜１０ｃは、その他の釣糸ガイド１０と共に、釣糸からの力を各竿体に伝達する。特に、穂先竿４と穂持ち竿３とは、その連結部分である嵌合雄部４ａと嵌合雌部３ａとの付近で集中的に力の伝達を受け、嵌合雄部４ａと嵌合雌部３ａとの重なり合い部分においても、釣糸からの力に応じて十分に湾曲することになる。従って、図３に示すように、連続的ななだらかな竿体の曲がりを演出することができる。また、穂持ち竿３と元上竿２とにおいても同様である。
【００３８】
［他の実施形態］
上記実施形態においては、例えば、穂持ち竿３の穂先側において、釣糸ガイド１０ａを装着した場合を例示しているが、図４に示すように、この釣糸ガイド１０ａを省略してもよい。この場合も、図５に示すように、竿体の連結部分にあっても連続的な竿体の曲がりを演出することが可能となる。
【００３９】
また、釣竿を構成する竿体の本数も上述のように４本に限定されるものではなく、任意に設定可能である。なお、竿体の曲がりは、穂先側に位置する小径の竿体において顕著である。従って、本発明のような釣糸ガイドの配置は、特に、穂先竿から２〜３本程度の竿体間においてのみ用いるものとしてもよい。
【００４０】
さらに、上記実施形態では、竿体の連結手法を振出形式として説明しているが、その他の並継形式などに適用することも当然に可能である。
【図面の簡単な説明】
【００４１】
【図１】本発明の第１実施形態を採用した釣竿の全体図。
【図２】図１の釣竿の穂先竿４と穂持ち竿３との連結部分を示した図。
【図３】図１の釣竿の穂先竿４と穂持ち竿３との曲がりの状態を示した図。
【図４】他の実施形態を採用した釣竿の図２に相当する図。
【図５】他の実施形態を採用した釣竿の図３に相当する図。
【符号の説明】
【００４２】
１  元竿
２  元上竿
３  穂持ち竿
４  穂先竿
３ａ  嵌合雌部
４ａ  嵌合雄部
１０  釣糸ガイド
【図１】
2005021133.tif 000003
【図２】
2005021133.tif 000004
【図３】
2005021133.tif 000005
【図４】
2005021133.tif 000006
【図５】
2005021133.tif 000007